(57)【特許請求の範囲】
【請求項１】
親映像信号と子映像信号とが供給されると共に、上記子映像信号が書き込まれる第１および第２のフィールドメモリと、これらのフィールドメモリから読み出された子映像信号および上記親映像信号を切り換える切り換え手段とを有し、上記親映像信号に同期した所定タイミングで行われる上記子映像信号の読み出しを上記子映像信号の書き込みに対して短期間で行うことにより上記親映像信号に基づき表示される親画面画像に対して上記子画面画像を任意の画サイズで表示する画像処理装置において、
上記第１および第２のフィールドメモリに対する書き込みアドレスを制御する書き込みアドレス制御信号であって、上記子映像信号に同期した書き込みアドレス制御信号を生成すると共に、該書き込みアドレス制御信号をフィールド毎に切り換えるための書き込み側切り換え信号を生成する書き込み側制御信号生成手段と、
上記書き込み側制御信号生成手段からの書き込み側切り換え信号により制御され、上記書き込みアドレス制御信号を上記第１および第２のフィールドメモリに選択的に供給するための第１の切り換え手段と、
上記親映像信号に同期した読み出しアドレス制御信号であって、上記第１および第２のフィールドメモリに対する読み出しアドレスを制御する読み出しアドレス制御信号を生成する第１の読み出し側制御信号生成手段と、
上記第１の読み出し側制御信号生成手段からの読み出しアドレス情報に先立って出力される上記子画面映像信号の読み出し開始位置信号を検出する読み出し開始位置検出手段と、
上記読み出し開始位置検出手段により読み出し開始位置信号が検出されるときに上記書き込み側切り換え信号により切り換えが指示されるフィールドメモリとは異なるフィールドメモリへの切り換えを示す読み出し側切り換え信号を生成する第２の読み出し側制御信号生成手段と、
上記第２の読み出し側制御信号生成手段からの読み出し側切り換え信号により制御され、上記第１の読み出し側制御信号生成手段からの読み出しアドレス制御信号を上記第１および上記第２のフィールドメモリに選択的に供給するための第２の切り換え手段と
を備えることを特徴とする画像処理装置。
【請求項２】
請求項１に記載の画像処理装置において、
上記親映像信号のフィールド周波数が上記子映像信号のフィールド周波数とは異なるとき、
上記書き込み側制御信号生成手段は、上記子映像信号に同期したフィールド内で何れか一方のみのフィールドに対する書き込みアドレス制御信号を生成すると共に、上記第１の切り換え手段を上記子映像信号のフレーム毎に切り換えるための書き込み側切り換え信号を生成することを特徴とする画像処理装置。
【請求項３】
親映像信号と子映像信号とが供給されると共に、上記子映像信号が書き込まれる第１および第２のフィールドメモリを有し、これらのフィールドメモリから読み出された子映像信号および上記親映像信号を切り換えると共に、上記親映像信号に同期した所定タイミングで行われる上記子映像信号の読み出しを上記子映像信号の書き込みに対して短期間で行うことにより上記親映像信号に基づき表示される親画面画像に対して上記子画面画像を任意の画サイズで表示する画像処理方法において、
上記第１および第２のフィールドメモリに対する上記子映像信号の書き込みアドレスを制御する書き込みアドレス制御信号を、上記子映像信号に同期したタイミングで上記第１および第２のフィールドメモリに選択的に供給するための第１の切り換えのステップと、
上記第１および第２のフィールドメモリに対する上記子映像信号の読み出しアドレスを制御する読み出しアドレス制御信号に先立って出力される上記子映像信号の読み出し開始位置信号を検出するステップと、
上記読み出し開始位置信号が検出されたときに上記書き込み側切り換え信号により切り換えが指示されるフィールドメモリとは異なるフィールドメモリを選択して上記読み出しアドレス制御信号を供給する第２の切り換えのステップと
を備えることを特徴とする画像処理方法。
【請求項４】
請求項３に記載の画像処理方法において、
上記親映像信号のフィールド周波数が上記子映像信号のフィールド周波数とは異なるとき、
上記第１の切り換えのステップは、上記子映像信号に同期したフィールド内で何れか一方のみのフィールドに対する書き込みアドレス制御信号を生成すると共に、上記子映像信号のフレーム毎に同期したタイミングで上記第１および第２のフィールドメモリに選択的に供給する
ことを特徴とする画像処理方法。
【発明の詳細な説明】
【０００１】
【発明の属する技術分野】
この発明は、例えば放送局などにおける特殊効果装置，テレビジョンセット，あるいはビデオテープレコーダにおいて、同一画面に、親画面に対する子画面を任意の画サイズおよび位置に表示させる際の、同期の追い越しが生じないような画像処理装置および処理方法に関する。
【０００２】
【従来の技術】
従来でも、テレビジョンセットにおいて本来の画面である親画面に対して、親画面と同期の異なる子画面を同時に表示させる、所謂ピクチャ・アンド・ピクチャ（以下、ピクチャ・アンド・ピクチャと称する）を行うテレビジョンセットが存在していた。
【０００３】
例えば、チャンネルＡが受信され画面表示がなされているテレビジョンセットにおいて、これと並行して、チャンネルＢを受信しチャンネルＡの画面と同時に表示する。図５は、このピクチャ・アンド・ピクチャの表示の一例を示す。このように、テレビジョンセットの画面１００が分割され、チャンネルＡによる親画面１０１とチャンネルＢによる子画面１０２とがそれぞれ表示される。この場合、画面の分割の割合に応じて水平方向について圧縮され表示がなされる。例えば、画面１００が均等に分割される場合、親画面１０１および子画面１０２のそれぞれに対して、水平方向について１画素毎に間引きが行われる。なお、垂直方向については、通常のサイズである。従来においては、画面１００におけるこれら親画面１０１および子画面１０２の分割の割合は、例えば１：１といったように固定とされていた。
【０００４】
このようなピクチャ・アンド・ピクチャを行うようなテレビジョンセットにおいて、子画面１０２の画像データは、フィールドメモリに書き込まれる。そして、このフィールドメモリから画像データが読み出され、親画面１０１の画像データの同期に基づいて、画面１００への表示がなされる。この際、子画面１０２の画像データの同期が親画面１０１の同期と一致していれば、親画面１０１および子画面１０２の表示に際して何ら問題は生じない。
【０００５】
ところが、この例のように、親画面１０１および子画面１０２とは、互いに別チャンネルである場合があり、この場合には、両者の同期に若干のずれが生じる可能性がある。条件によっては、子画面１０２の表示において、この同期のずれによってフィールドメモリに対する画像データの書き込みを読み出しが追い越してしまうという事態が生じる。
【０００６】
この追い越しが生じると、子画面１０２において過去の画像が混在して表示されてしまう。これは、特に動きを伴った映像の表示の際に、著しい画像障害となる。さらに、通常、親画面１０１および子画面１０２との間の同期のずれは僅かであるため、この追い越しによる画像障害は、一度発生したら当分解消されることはない。
【０００７】
そこで、ピクチャ・アンド・ピクチャが可能なテレビジョンセットにおいて、追い越し検出を行い追い越しを解消するような対策がとられている。図６は、従来技術による、この追い越し検出回路を含む画像処理装置の構成の一例を示す。端子１１０に対して子画面１０２を形成する子映像信号が供給される。この子映像信号は、同期発生回路１１１に供給されると共に、フィールドメモリ１１２およびフィールドメモリ１１３に供給される。
【０００８】
同期発生回路１１１において、供給された子映像信号から水平同期信号，垂直同期信号などの同期信号が抽出される。そして、この同期信号に基づき、ライト側メモリコントロール信号ｗｃｔｌ，ライト側フィールド切り換え信号ｗｆｃｎｇ，およびライト側追い越し検出用パルスｗｄｅｔが生成される。信号ｗｃｔｌは、子映像信号の走査に対応して生成されるラインアドレスカウントであり、この信号ｗｃｔｌに基づきメモリ１１２および１１３の一方がアドレス制御され、子映像信号のメモリ１１２および１１３の一方に対する書き込みが行われる。この信号ｗｃｔｌは、後述する信号ｗｆｃｎｇによって切り換えられるスイッチ回路１１４の選択に基づき、メモリ１１２または１１３に対して供給される。
【０００９】
信号ｗｆｃｎｇは、子映像信号のフィールドに対応して生成される信号で、例えば子映像信号の奇数および偶数フィールドの期間で、図７Ａに示されるようにそれぞれ‘Ｈ’および‘Ｌ’とされ、スイッチ回路１１４の切り換えを制御する。すなわち、この信号ｗｆｃｎｇの制御によってスイッチ回路１１４がフィールド毎に切り換えられ、メモリ１１２および１１３に対する信号ｗｃｔｌの供給が制御される。
【００１０】
パルスｗｄｅｔは、図７Ｂに示されるように、子映像信号における１フレームの開始位置から数Ｈ、例えば３Ｈの間‘Ｈ’とされるパルスである。このパルスｗｄｅｔは、後述する重なり検出回路１１５に供給される。
【００１１】
端子１１０から供給された子映像信号は、信号ｗｆｃｎｇに基づくスイッチ回路１１４の切り換えによって信号ｗｃｔｌの供給を選択されたメモリ１１２または１１３に対して、信号ｗｃｔｌに基づきフィールド毎に書き込まれる。これらメモリ１１２または１１３に書き込まれた映像信号は、後述するスイッチ回路１１６によってメモリ１１２または１１３を選択され供給される、リード側メモリコントロール信号ｒｃｔｌに基づき読み出される。読み出された子映像信号は、スイッチ回路１１７の一方の選択入力端に供給される。
【００１２】
端子１２０から親画面１０１を形成する親映像信号が供給される。この親映像信号は、同期発生回路１２１に供給されると共に、ラインメモリ１２２に供給される。ラインメモリ１２２に供給された親映像信号は、後述する同期発生回路１２２において生成された同期信号に基づき、水平方向に圧縮される。例えばアドレス制御により１画素毎に間引きされることによって、水平方向に１／２に圧縮される。水平圧縮された親映像信号は、スイッチ回路１１７の他方の選択入力端に供給される。このスイッチ回路１１７は、画面１００における親画面１０１および子画面１０２の割合に対応したタイミングで切り換えられ、子画像信号および親画像信号とが同一画面上に表示されるピクチャ・アンド・ピクチャ映像信号とされ出力端１２４に導出される。
【００１３】
同期発生回路１２１において、供給された親映像信号から、水平同期信号，垂直同期信号などの同期信号が抽出される。そして、この同期信号に基づき、リード側メモリコントロール信号ｒｃｔｌ，リード側フィールド切り換え信号ｒｆｃｎｇ，リード側追い越し検出用パルスｒｄｅｔ，信号ｏｅｄｅｔ１，および信号ｏｅｄｅｔ２が生成される。
【００１４】
パルスｒｄｅｔは、図７Ｃに示されるように、親映像信号の１フレームの開始位置から、例えば１Ｈの間‘Ｈ’とされるパルスである。このパルスｒｄｅｔは、重なり検出回路１１５に供給される。
【００１５】
信号ｒｃｔｌは、スイッチ回路１１６を介してメモリ１１２または１１３に対して供給され、これらメモリ１１２および１１３からの子映像信号の読み出しを制御する。信号ｏｅｄｅｔ１および信号ｏｅｄｅｔ２は、図７Ｄおよび図７Ｅに示されるように、親映像信号におけるフィールドに対応して互いに逆の関係で‘Ｈ’および‘Ｌ’が入れ替わる。‘Ｈ’状態でフィールドメモリ１１２が、‘Ｌ’状態でフィールドメモリ１１３が選択される。そして、子映像信号の読み出しを制御するための信号ｒｃｔｌが選択されたメモリに対して供給されることにより、メモリ１１２または１１３からの子映像信号の読み出しが行われる。
【００１６】
信号ｏｅｄｅｔ１および信号ｏｅｄｅｔ２は、後述する重なり検出回路１１５から供給される制御信号に基づき切り換えられるスイッチ回路１２３により選択され、スイッチ回路１１６の制御信号とされる。
【００１７】
重なり検出回路１１５において、供給されたパルスｗｄｅｔおよびｒｄｅｔの重なり検出が行われる。パルスｗｄｅｔおよびｒｄｅｔが重なったとされた場合、追い越しが生じる可能性が高いと判断される。
【００１８】
最初、パルスｗｄｅｔおよびｒｄｅｔが重なっておらず追い越しが生じていない場合には、スイッチ回路１２３によって、例えば信号ｏｅｄｅｔ１が選択される。この選択された信号ｏｅｄｅｔ１は、信号ｒｆｃｎｇとしてスイッチ回路１１６の切り換えを制御する。この例では、追い越しが生じていない場合には、スイッチ回路１１６においてフィールドメモリ１１２側が選択される。すると、同期発生回路１２１から供給された信号ｒｃｔｌがメモリ１１２に対して供給され、メモリ１１２から子映像信号が読み出される。この読み出しは、例えば読み出しの際のアドレス制御により、水平方向に１画素毎の間引きを行うことによってなされる。
【００１９】
若し、子映像信号と親映像信号との同期がずれていた場合、上述したように、メモリ１１２への子映像信号の書き込みに対してメモリ１１２からの子映像信号の読み出しの追い越しが生じる可能性がある。このピクチャ・アンド・ピクチャにおいては、画像の垂直方向の圧縮は行われないため、１フィールド分の画像信号のメモリ１１２および１１３への書き込み速度は、それぞれの入力信号における垂直周波数となる。それに対して、メモリ１１２または１１３からの読み出し速度は、同期変換する側、すなわち、親映像信号の垂直周波数だけに依存する。
【００２０】
メモリ１１３において、書き込み速度が子映像信号の垂直周波数に、読み出し速度が親映像信号の垂直周波数にそれぞれ依存するため、特定の条件の下で、上述したような、書込みに対する読み出しの追い越しが生じる。例えば親映像信号および子映像信号とが共に６０Ｈｚシステムの場合には、書き込み側と読み出し側との垂直周波数が僅かに異なり、書き込みの開始タイミングと読み出しの開始タイミングとがほぼ重なった場合に追い越しが発生する。
【００２１】
そこで、図７に示されるように、１フレーム毎に、書き込み側では３Ｈ程度の幅を有するパルスｗｄｅｔ（図７Ｂ）、読み出し側では１Ｈ程度の幅を有するパルスｒｄｅｔ（図７Ｃ）をそれぞれ生成し、重なり検出回路１１５においてこれらパルスｗｄｅｔおよびパルスｒｄｅｔとの重なりを検出する。これらのパルスが重なった場合、追い越しが発生するおそれが高いとされ、重なり検出回路５からスイッチ回路１２３に対して制御信号が供給される。この制御信号に基づきスイッチ回路１２３が切り換えられ、信号ｏｅｄｅｔ２が信号ｒｆｃｎｇとされる。すると、この信号ｒｆｃｎｇに基づき、通常とは反対側のフィールドメモリから子映像信号を読み出すように制御される。これにより、追い越しが回避される。
【００２２】
【発明が解決しようとする課題】
上述のピクチャ・アンド・ピクチャ表示では、子画面１０２の表示は、画面１００に対して固定の比率で水平方向に対して圧縮されており、不自然な画面となっていた。そこで、現在、例えばピクチャ・アンド・ピクチャ表示が可能なテレビジョンセットにおいて、子画面１０２の画サイズおよび表示位置を任意に設定できることが求められている。
【００２３】
しかしながら、上述した従来技術では、子画面１０２の、画サイズの垂直および水平方向での変更および表示位置との任意の設定を行い、同時に子映像信号の親映像信号に対する同期の乗り換えをするような場合、追い越しを発生する全てのケースを検出することができない。図８は、この場合の、フィールドメモリ１１２および１１３における、ラインアドレスカウントおよび書き込みまたは読み出しの対象フィールドとの関係を示す。なお、ラインアドレスカウントを示す図８Ａおよび図８Ｃは、縦軸が読み出されるラインアドレスを表す。
【００２４】
ライト側では、図８Ｂに示されるような信号ｗｆｃｎｇに基づく対象フィールドにおいて、図８Ａに示されるようなラインアドレスカウント（信号ｗｃｔｌ）に基づき子映像信号の書き込みがなされる。それに対して、リード側では、図８Ｄに示されるような信号ｒｆｃｎｇに基づく対象フィールドにおいて、図８Ｃに示されるようなラインアドレスカウント（信号ｒｃｔｌ）で以て子映像信号の読み出しが書き込みより短い期間でなされる。さらに、この読み出し期間の長さは、子画面１０２の垂直方向の画サイズによって変化し、開始位置は、表示位置によって変化する。
【００２５】
その結果、図９に示されるように、リード側アドレスカウント（信号ｒｃｔｌ）とライト側アドレスカウント（信号ｗｃｔｌ）とが交差する点ａにおいて追い越しが発生し、期間ｂでは現在のフィールドデータが読み出され、期間ｃでは過去のフィールドデータが読み出される。このように、書き込みと読み出しとを同じフィールドメモリに対してアクセスすることによって行っていると、画サイズや表示位置によっては追い越しが発生する可能性がある。
【００２６】
この追い越しは、上述の図６に示される追い越し検出回路では、殆どのケースで検出できず、画面上では、例えば動画であれば、子画面１０２において現在と過去の場面が切り替わり、部分的に１フィールド前の表示がなされ、見苦しい画面となってしまうという問題点があった。
【００２７】
したがって、この発明の目的は、ピクチャ・アンド・ピクチャ表示を行う場合に、子画面の、画サイズの変換および表示位置とを任意に変更しても、フィールドメモリにおける読み出しの書き込みに対する追い越しが起こらないような画像処理装置および処理方法を提供することにある。
【００２８】
【課題を解決するための手段】
この発明は、上述した課題を解決するために、親映像信号と子映像信号とが供給されると共に、子映像信号が書き込まれる第１および第２のフィールドメモリと、これらのフィールドメモリから読み出された子映像信号および親映像信号を切り換える切り換え手段とを有し、親映像信号に同期した所定タイミングで行われる子映像信号の読み出しを子映像信号の書き込みに対して短期間で行うことにより親映像信号に基づき表示される親画面画像に対して子画面画像を任意の画サイズで表示する画像処理装置において、第１および第２のフィールドメモリに対する書き込みアドレスを制御する書き込みアドレス制御信号であって、子映像信号に同期した書き込みアドレス制御信号を生成すると共に、書き込みアドレス制御信号をフィールド毎に切り換えるための書き込み側切り換え信号を生成する書き込み側制御信号生成手段と、書き込み側制御信号生成手段からの書き込み側切り換え信号により制御され、書き込みアドレス制御信号を第１および第２のフィールドメモリに選択的に供給するための第１の切り換え手段と、親映像信号に同期した読み出しアドレス制御信号であって、第１および第２のフィールドメモリに対する読み出しアドレスを制御する読み出しアドレス制御信号を生成する第１の読み出し側制御信号生成手段と、第１の読み出し側制御信号生成手段からの読み出しアドレス情報に先立って出力される子画面映像信号の読み出し開始位置信号を検出する読み出し開始位置検出手段と、読み出し開始位置検出手段により読み出し開始位置信号が検出されるときに書き込み側切り換え信号により切り換えが指示されるフィールドメモリとは異なるフィールドメモリへの切り換えを示す読み出し側切り換え信号を生成する第２の読み出し側制御信号生成手段と、第２の読み出し側制御信号生成手段からの読み出し側切り換え信号により制御され、第１の読み出し側制御信号生成手段からの読み出しアドレス制御信号を第１および第２のフィールドメモリに選択的に供給するための第２の切り換え手段とを備えることを特徴とする画像処理装置である。
【００２９】
また、この発明は、上述した課題を解決するために、親映像信号と子映像信号とが供給されると共に、子映像信号が書き込まれる第１および第２のフィールドメモリを有し、これらのフィールドメモリから読み出された子映像信号および親映像信号を切り換えると共に、親映像信号に同期した所定タイミングで行われる子映像信号の読み出しを子映像信号の書き込みに対して短期間で行うことにより親映像信号に基づき表示される親画面画像に対して子画面画像を任意の画サイズで表示する画像処理方法において、第１および第２のフィールドメモリに対する子映像信号の書き込みアドレスを制御する書き込みアドレス制御信号を、子映像信号に同期したタイミングで第１および第２のフィールドメモリに選択的に供給するための第１の切り換えのステップと、第１および第２のフィールドメモリに対する子映像信号の読み出しアドレスを制御する読み出しアドレス制御信号に先立って出力される子映像信号の読み出し開始位置信号を検出するステップと、読み出し開始位置信号が検出されたときに書き込み側切り換え信号により切り換えが指示されるフィールドメモリとは異なるフィールドメモリを選択して読み出しアドレス制御信号を供給する第２の切り換えのステップとを備えることを特徴とする画像処理方法である。
【００３０】
上述したように、この発明は、第１および第２のフィールドメモリから子映像信号がフィールド毎に読み出されるタイミングで書き込み側フィールドメモリ切り換え信号をラッチし、このラッチ出力で以て、読み出し側フィールドメモリコントロール信号を第１および第２のフィールドメモリのうち何方に供給するかを選択するようにされているため、書き込み側と読み出し側とで常に異なったフィールドメモリに対してアクセスするようにできる。
【００３１】
【発明の実施の形態】
以下、この発明の実施の一形態について説明する。この発明においては、ライト側フィールド切り換え信号ｗｆｃｎｇを読み出しスタートパルスｒｓｔａｔでラッチした信号を、リード側のフィールド切り換え信号ｒｆｃｎｇとして使用する。
【００３２】
図１は、この発明による画像処理装置が適用されたテレビジョンセットにおける親画面および子画面の表示の例を示す。ユーザは、テレビジョンセット３０に対して、親画面として表示したいチャンネルを指定し、画面３１に表示させる。そして、子画面３６として表示させたいチャンネルを別途指定し、同時に、子画面３６がテレビジョンセットの有効画面に対して占める大きさおよび子画面が表示される位置とを、所定の方法で以て指定する。ユーザは、例えば赤外線によってモニタ３０の赤外線受光器３５に対して赤外線変調されたコマンドを送信するモートコントローラ３２によって、この設定を行う。
【００３３】
コントローラ３２において、モードキー３３および方向キー３４との操作の組み合わせで以て、所定のコマンドをモニタ３０に対して送信することができる。ユーザがモードキー３３によって子画面３６の表示を行うことを指定すると、子画面３６を表示させたい画面範囲を指定するように、例えば画面３１に枠線が表示される。このとき、初期設定を画面３１全域としてもよい。ユーザは、方向キー３４およびモードキー３３とを操作し子画面３６を表示させる範囲、すなわち、画サイズおよび表示位置とを指示する。この指示がモニタ３０に受信され、オリジナル画像の範囲がモニタ３１に対して示されると共に、この範囲に基づき子画面３６の水平方向および垂直方向の画サイズＮおよびＭが例えば画素数やライン数で以てそれぞれ得られる。また、同時に子画面３６の画面３１に対する表示位置情報が得られる。これら画サイズおよび表示位置情報は、子画面３６の設定情報として例えば所定のメモリに記憶される。
【００３４】
図２は、この発明が適用された画像処理装置の構成の一例を示す。端子１に対して子画面３６を形成するための子映像信号が供給される。この子映像信号は、同期発生回路２に供給されると共に、フィールドメモリ３およびフィールドメモリ４に供給される。同期発生回路２において、供給された子映像信号から水平同期信号，垂直同期信号などの同期信号が抽出される。そして、これらの同期信号に基づき、ライト側メモリコントロール信号ｗｃｔｌおよびライト側フィールド切り換え信号ｗｆｃｎｇが生成される。
【００３５】
信号ｗｃｔｌは、子映像信号の走査に対応して生成されるラインアドレスカウントであり、この信号ｗｃｔｌに基づきメモリ３または４がアドレス制御され、これらメモリ３または４に対する子映像信号の書き込みが行われる。この信号ｗｃｔｌは、後述する信号ｗｆｃｎｇによって切り換えられるスイッチ回路５による選択に基づき、メモリ３または４に対して供給される。
【００３６】
信号ｗｆｃｎｇは、子映像信号のフィールドに対応して生成される信号で、例えば子映像信号の奇数および偶数フィールドの期間で、図３Ａに示されるようにそれぞれ‘Ｈ’および‘Ｌ’とされ、スイッチ回路５の切り換えを制御する。すなわち、この信号ｗｆｃｎｇの制御によってスイッチ回路５がフィールド毎に切り換えられ、信号ｗｃｔｌのメモリ３および４に対する供給が制御される。それにより、子映像信号の書き込みをメモリ３および４の何方に対して行うかが選択される。また、この信号ｗｆｃｎｇは、スイッチ回路５の制御を行うと共に、ラッチ回路８のデータ入力端にも供給される。
【００３７】
一方、端子９から親画面を形成する親映像信号が供給される。この親映像信号は、同期発生回路１０に供給されると共に、スイッチ回路１２の他方の選択入力端に供給される。同期発生回路１０において、供給された親映像信号から、水平同期信号，垂直同期信号などの同期信号が抽出される。そして、これらの同期信号および上述の子画面の画サイズ，表示位置の設定情報に基づき、上述した、リード側メモリコントロール信号ｒｃｔｌが生成される。この信号ｒｃｔｌは、スイッチ回路６を介してメモリ３または４に供給される。
【００３８】
端子１から供給された子映像信号は、信号ｗｆｃｎｇに基づくスイッチ回路５の切り換えによって選択されたメモリ３または４に対して、信号ｗｃｔｌに基づきフィールド毎に書き込まれる。この例では、子映像信号は、信号ｗｆｃｎｇが‘Ｈ’でメモリ３に第１フィールドが書き込まれ、信号ｗｆｃｎｇが‘Ｌ’でメモリ４に第２フィールドが書き込まれる。これらメモリ３および４に書き込まれた子映像信号は、後述するスイッチ回路６によってメモリ３または４を選択され供給される、リード側メモリコントロール信号ｒｃｔｌに基づき読み出される。読み出された子映像信号は、スイッチ回路１２の一方の選択入力端に供給される。
【００３９】
図示されていないが、フィールドメモリ３および４からの子映像信号の読み出し開始のタイミングは、スタート位置検出回路７によって検出され、スタート位置パルスｒｓｔａｔが発生される。図３Ｂは、このパルスｒｓｔａｔの例を示す。なお、このメモリ３および４からの子映像信号の読み出しは、図３においては、このパルスｒｓｔａｔのタイミングに対して、若干の遅れをもって開始される。このパルスｒｓｔａｔは、ラッチ回路８のラッチ信号入力端に供給される。ラッチ回路８において、同期発生回路２から供給された信号ｗｆｃｎｇがパルスｒｓｔａｔによってラッチされる。
【００４０】
ラッチ回路８のラッチ出力がリード側フィールド切り換え信号ｒｆｃｎｇとされ、スイッチ回路６の制御信号とされる。図３Ｄは、このラッチ出力による信号ｒｆｃｎｇの例を示す。この信号ｒｆｃｎｇは、フィールドメモリ３および４において、信号ｗｆｃｎｇによって子映像信号の書き込みを選択されていない側のフィールドメモリを、子映像信号を読み出すメモリとして選択するように、スイッチ回路６の制御を行う。このように、この発明では、子映像信号の書き込みと読み出しとが常に別のフィールドメモリにおいて行われる。
【００４１】
すなわち、信号ｗｆｃｎｇによりフィールドメモリ３に対する書き込みが選択されている期間に、パルスｒｓｔａｔが検出された場合には、信号ｒｆｃｎｇに基づきスイッチ回路６が制御され、子映像信号のフィールドメモリ４からの読み出しが選択される。同期発生回路１０によって生成された信号ｒｃｔｌがスイッチ回路６を介してメモリ４に対して供給される。
【００４２】
メモリ３または４のうち、スイッチ回路６によって信号ｒｃｔｌが供給された側から、信号ｒｃｔｌに基づき子映像信号が読み出される。図３Ｃは、このときの、メモリ３または４におけるラインアドレスカウントを示す。このメモリ３または４からの子映像信号の読み出しの速度は、上述の子画面３６の設定情報に基づき、子画面の垂直方向の画サイズに応じて変わる。これは、例えば信号ｒｃｔｌによるアドレス制御によって、ライン間引きが行われることによってなされる。水平方向についても同様な方法で以て画素間引きが行われる。また、子映像信号の読み出しの開始タイミングも、上述の子画面３６の設定情報に基づき変わる。上述したように、子映像信号の書き込みと読み出しとが常に別のメモリに対して行われるため、子映像信号の読み出しの速度や開始タイミングが変わっても、フィールドメモリにおける追い越しが生じない。
【００４３】
上述したように、スイッチ回路１２の一方および他方の選択入力端には、子映像信号および親映像信号がそれぞれ供給される。このスイッチ回路１２は、画面３１における子画面３６の表示範囲に対応したタイミングで切り換えられる。スイッチ回路１２の一方および他方の選択入力端に供給された、子画像信号および親画像信号とは、同一画面上に表示されるピクチャ・アンド・ピクチャ映像信号とされ出力端１３に導出される。
【００４４】
図４は、この発明の実施の一形態の変形例である、この発明による画像処理装置で以て、映像信号が６０Ｈｚのシステムおよび５０Ｈｚのシステムの間で、同期変換および画サイズの変換とを行う場合の処理の例である。この例は、子映像信号が６０Ｈｚのシステムとされ、親映像信号が５０Ｈｚのシステムとされた例である。この変形例も、上述の一形態と同様の画像処理装置で以て実現することができる。この場合には、自然な動きを得るために、片フィールド処理を行う。すなわち、奇数および偶数フィールドのうち何方か片方のフィールドだけが処理の対象とされる。処理の対象とされるフィールド（この例では偶数フィールドとする）の子映像信号が信号ｗｃｔｌに基づきフィールドメモリ３および４とに交互に書き込まれる（図４Ａ）。このときの信号ｗｆｃｎｇは、図４Ｂのようになる。
【００４５】
メモリ３または４からの子映像信号の読み出しが５０Ｈｚの周期に基づきなされることによって、子映像信号の６０Ｈｚのシステムから５０Ｈｚのシステムへの同期変換が行われる。図４Ｃは、この読み出しの際のラインアドレスカウント（信号ｒｃｔｌ）を示す。このラインアドレスカウントに基づき、図４Ｄに示されるような、スタート位置パルスｒｓｔａｔが発生される。メモリ３および４からの子映像信号の読み出しを切り換える、リード側フィールド切り換え信号ｒｆｃｎｇは、このパルスｒｓｔａｔで以て信号ｗｆｃｎｇをラッチすることによって生成される。図４Ｅは、このように生成された信号ｒｆｃｎｇ示す。
【００４６】
この変形例においても、上述の実施の一形態と同様に、パルスｒｓｔａｔで以て信号ｗｆｃｎｇをラッチすることによって生成された信号ｒｆｃｎｇに基づき、フィールドメモリ３および４の何方から子映像信号を読み出すかが指示される。そのため、書き込みと読み出しとでアクセスするメモリが重なることがなく、追い越しが発生しない。
【００４７】
【発明の効果】
以上説明したように、この発明によれば、子画面の映像信号の書き込みおよび読み出しが行われるフィールドメモリに対するアクセスが適切に制御される。そのため、同期乗り換えおよび画サイズ変換とを同一のメモリに対して行っても、フィールドメモリに対するアクセスが書き込みおよび読み出しとで重なることがない。したがって、例えばピクチャ・アンド・ピクチャ機能を有するテレビジョンセットにおいて、親画面に対して同期乗り換えされ表示される子画面の位置および画サイズを任意に設定できるような画像処理を、少ないメモリ容量で実現できる効果がある。
【図面の簡単な説明】
【図１】モニタにおける画像の縮小を説明するための略線図である。
【図２】この発明による画像処理装置の構成の一例を示すブロック図である。
【図３】この発明による処理を説明するためのタイミングチャートである。
【図４】この発明の変形例による処理を説明するためのタイミングチャートである。
【図５】ピクチャ・アンド・ピクチャの表示画面の一例を示す略線図である。
【図６】従来技術による画像処理装置の構成の一例を示すブロック図である。
【図７】従来技術による重なり検出を説明するためのタイミングチャートである。
【図８】画サイズを任意に変更した場合の、ラインアドレスカウントおよび書き込みまたは読み出しの対象フィールドとの関係を示すタイミングチャートである。
【図９】追い越しを説明するための略線図である。
【符号の説明】
ｗｆｃｎｇ・・・ライト側フィールド切り換え信号、ｒｆｃｎｇ・・・リード側フィールド切り換え信号、ｗｃｔｌ・・・ライト側メモリコントロール信号、ｒｃｔｌ・・・リード側メモリコントロール信号、ｒｓｔａｔ・・・リード側読み出しスタートパルス、３，４・・・フィールドメモリ、７・・・スタート位置検出回路、８・・・ラッチ回路、３６・・・子画面
【図１】
0003613893.tif 000002
【図２】
0003613893.tif 000003
【図３】
0003613893.tif 000004
【図４】
0003613893.tif 000005
【図５】
0003613893.tif 000006
【図６】
0003613893.tif 000007
【図７】
0003613893.tif 000008
【図８】
0003613893.tif 000009
【図９】
0003613893.tif 000010